(57)【要約】【課題】表示面角度が可変である平面ディスプレイ・モニタであっても、机上のワークスペースを確保したいときはキーボード・ユニットを簡単かつ確実に平面ディスプレイ・モニタに沿わせて収納し、机上のスペースを空けることができるキーボード・ユニット、平面ディスプレイ・モニタ、およびそれらを含む情報処理装置を、特別な形状の再設計を必要とせずに提供する。【解決手段】キーボード・ユニット２を、その一辺またはその一辺の部分が載置面に接した状態で、該平面ディスプレイ・モニタ１のディスプレイ・ハウジング正面１１ａの一部に沿わせて止着収納できるように、該ディスプレイ・ハウジング正面１１ａに面ファスナ３ａを、該キーボード・ユニット２の底面２ｂに面ファスナ３ｂを設けて構成する。【選択図】　　　　図１
2004145484.tif 000002
【特許請求の範囲】
【請求項１】
表示面角度が可変であり載置面に置かれる平面ディスプレイ・モニタを含む情報処理装置用キーボード・ユニットであって、該キーボード・ユニットを、その一辺またはその一辺の部分が載置面に接した状態で、該平面ディスプレイ・モニタのディスプレイ・ハウジングの正面の一部に沿わせて止着収納できるように、面ファスナが、該キーボード・ユニットの底面に設けてある、または該キーボード・ユニットの底面に設けられるようにアクセサリとして供給される、ことを特徴とするキーボード・ユニット。
【請求項２】
キーボード・ユニットを含む情報処理装置用の、表示面角度が可変であり載置面に置かれる平面ディスプレイ・モニタであって、該キーボード・ユニットを、その一辺またはその一辺の部分が載置面に接した状態で、該平面ディスプレイ・モニタのディスプレイ・ハウジングの正面の一部に沿わせて止着収納できるように、面ファスナが、該正面に設けてある、または該正面に設けられるようにアクセサリとして供給される、ことを特徴とする平面ディスプレイ・モニタ。
【請求項３】
請求項１のキーボード・ユニットと請求項２の平面ディスプレイ・モニタを含む情報処理装置。
【発明の詳細な説明】
【０００１】
【発明が属する技術分野】
本発明は、机上等で使用する情報処理装置用キーボード・ユニット、平面ディスプレイ・モニタ、及び情報処理装置に関わるものである。
【０００２】
【従来の技術】
情報処理装置のディスプレイ・モニタはＣＲＴタイプからＬＣＤを使った平面型に移行しつつあり、机上の占有面積が小さくなった。しかしながら、キーボード・ユニットは一定の大きさが必要であり、使用していないときにもかなりの面積を占有してしまう。日本の家屋や事務所では、十分大きな机は置けない場合が多い。そこで小さな机でペーパーワークをする場合、このキーボード・ユニットが邪魔になる。ＣＲＴタイプのディスプレイ・モニタの場合は、キーボード・ユニットを使用していない場合、その上に置いて収納することが可能であった。ところがＬＣＤを使った平面型ディスプレイ・モニタの上部には、キーボード・ユニットを置ける広さはない。そこで特開平１１−２１９２２９には、キーボード・ユニットを使用していないときは、キーボード・ユニットを平面ディスプレイ・モニタのスタンドの下部（転倒防止脚）上に収納する情報処理装置が開示されている。
【０００３】
【発明が解決しようとする課題】
ところでこの情報処理装置においては、平面ディスプレイ・モニタのスタンド上に、キーボード・ユニットが滑らずに収納できるよう、スタンドを専用の形状に設計する必要があり、長い開発リードタイムと、多額の金型費用が必要であった。
【０００４】
一方、キーボード・ユニットを平面ディスプレイ・モニタに立て掛ける方法も考えられるが、これだけではきわめて不安定であり、安心してペーパーワークをすることはできない。そこでキーボード・ユニットを平面ディスプレイ・モニタに立て掛け、簡単に止める方法が望まれるが、平面ディスプレイ・モニタの表示面角度が可変になっているため、キーボード・ユニットと平面ディスプレイ・モニタとの相対位置が定まらない。このため簡単で確実にキーボード・ユニットを止める方法はなかった。
【０００５】
本発明はこのような技術的背景のもとになされたものである。従って、その目的は、表示面角度が可変である平面ディスプレイ・モニタであっても、机上のワークスペースを確保したいときはキーボード・ユニットを簡単かつ確実に平面ディスプレイ・モニタに沿わせて収納し、机上のワークスペースを空けることができるキーボード・ユニット、平面ディスプレイ・モニタ、及びそれらを含む情報処理装置を、特別な形状の再設計を必要とせずに提供することである。
【０００６】
【課題を解決するための手段】
上記目的を達成するため、請求項１のキーボード・ユニットは表示面角度が可変であり載置面に置かれる平面ディスプレイ・モニタを含む情報処理装置用キーボード・ユニットであって、該キーボード・ユニットを、その一辺またはその一辺の部分が載置面に接した状態で、該平面ディスプレイ・モニタのディスプレイ・ハウジングの正面の一部に沿わせて止着収納できるように、面ファスナが、該キーボード・ユニットの底面に設けてある、または該キーボード・ユニットの背面に設けられるようにアクセサリとして供給される、ことを特徴とする。
【０００７】
請求項２の平面ディスプレイ・モニタは、キーボード・ユニットを含む情報処理装置用の、表示面角度が可変であり載置面に置かれる平面ディスプレイ・モニタであって、該キーボード・ユニットを、その一辺またはその一辺の部分が載置面に接した状態で、該平面ディスプレイ・モニタのディスプレイ・ハウジングの正面の一部に沿わせて止着収納できるように、面ファスナが、該正面の一部に設けてある、または該正面の一部に設けられるようにアクセサリとして供給される、ことを特徴とする。
【０００８】
請求項３の情報処理装置は、上記のキーボード・ユニットと上記の平面ディスプレイ・モニタを含むことを特徴とする。
【０００９】
【発明の実施の形態】
以下、この発明の実施例を、図を参照して説明する。
【００１０】
図２は、ＬＣＤディスプレイ等を使用した平面ディスプレイ・モニタ１を示す。表示面を構成する平面ディスプレイ１２は、ディスプレイ・ハウジング１１により周辺と後面をカバーされている。そして、ディスプレイ・ハウジング１１は、スタンド１４の上端の軸構造１３により回転可能となるようスタンド１４と連結されており、所定の角度範囲で表示面角度を調整できるようになっている。通常この平面ディスプレイ・モニタ１の前側（使用者側）には、キーボード・ユニットが置かれ、入力装置として使われる。
【００１１】
図１は、本発明の実施例を示す。ディスプレイ・ハウジングの正面１１ａの一部、例えば図２に示すようにディスプレイ・ハウジングの正面１１ａの下方中央付近に面ファスナ３ａを設ける。他方、図３に示すようにキーボード・ユニットの底面２ｂの中央付近でキーボード・ユニットの背面２ｃ寄りに面ファスナ３ｂを設ける。このように双方に面ファスナ３ａ、３ｂを設けることによって、机上のワークスペースを確保したいときは、キーボード・ユニット２の前端が載置面に接した状態でキーボード・ユニット２を立て、キーボード・ユニットの底面２ｂをディスプレイ・ハウジング正面１１ａの下方に沿わせ、面ファスナ３ａ、３ｂにより止着収納することができる。
【００１２】
面ファスナ３ａ、３ｂを設ける位置とその寸法は、平面ディスプレイ・モニタ１へのキーボード・ユニット２の止着収納位置により決まる。ディスプレイ・ハウジング１１は、図２に示す軸構造１３により回転可能であり、ディスプレイ・ハウジング１１を回転させることにより、ディスプレイ・ハウジングの正面１１ａの載置面に対する角度、及び下端の載置面からの高さが変化する。例えば図１に示すように、キーボード・ユニット２の前端が載置面に接した状態で、キーボード・ユニットの底面２ｂをディスプレイ・ハウジングの正面１１ａの下方に沿わせて立て掛ける場合、ディスプレイ・ハウジング１１が載置面に対して最も垂直に近い角度から最も並行に近い角度へ変化するに伴い、ディスプレイ・ハウジングの正面１１ａとキーボード・ユニットの底面２ｂの接触幅が最大から最小へ移行する。この幅の変化をカバーするためには、主にキーボード・ユニットの底面２ｂの面ファスナ３ｂの前後方向の長さを大きくすれば良い。また、キーボード・ユニット２と平面ディスプレイ・モニタ１のセンターの厳密な位置合わせの必要をなくすためには、主にディスプレイ・ハウジング１１側の面ファスナを水平方向に長くすれば良い。
【００１３】
平面ディスプレイ・モニタ１の両側にスピーカ等が設置されており、キーボード・ユニット２を横置きできない場合は、図４に示すようにキーボード・ユニット２を縦置きに止着収納すれば良い。この場合、面ファスナ３ａ、３ｂの位置と寸法を適宜変える。例えばディスプレイ・ハウジングの正面１１ａの右側に面ファスナ３ａを設けておき、キーボード・ユニット２の右側面の一辺またはその一辺の部分が載置面に接した状態でキーボード・ユニット２を立て、キーボード・ユニットの底面２ｂをディスプレイ・ハウジングの正面１１ａの右側部分に沿わせることにより、止着収納することができる。
【００１４】
このように構成された情報処理装置は、机上のワークスペースを確保したいときは、図１若しくは図４の実施例に示すようにキーボード・ユニット２の一辺またはその一辺の部分が載置面に接した状態でキーボード・ユニット２を立て、キーボード・ユニットの底面２ｂをディスプレイ・ハウジングの正面１１ａの一部に沿わせ、面ファスナ３ａ、３ｂにより止着収納することができる。そして、面ファスナを使用したことにより、平面ディスプレイ・モニタ１の表示面角度を変えた場合でも、キーボード・ユニット２とディスプレイ・ハウジング１１間の相対位置のずれを吸収することが可能であり、表示面の角度に拘わらずキーボード・ユニット２が確実に止着される。従って、机上のキーボード・ユニット２のスペースを有効に利用できる。なお、キーボード・ユニット２を再度使用する際は、ディスプレイ・ハウジング１１から簡単に引き離すことができる。
【００１５】
更に、このように構成された情報処理装置は、キーボード・ユニットの底面２ｂをディスプレイ・ハウジングの正面１１ａに沿わせて収納することにより、キーボード２ａが常に使用者に向けられるため、キーボード・ユニット２を収納した状態においてもキーボード２ａからの簡単な入力が可能である。
【００１６】
十分広い机に平面ディスプレイ・モニタ１とキーボード・ユニット２を設置した使用者は、このようにキーボード・ユニット２を立てて収納する必要がない。その場合のために、面ファスナ３ａ、３ｂを平面ディスプレイ・モニタ１及びキーボード・ユニット２のアクセサリとして供給し、必要な使用者のみが実際に貼るようにしてもよい。また、面ファスナには、織編物タイプとモールドタイプがあり、織編物タイプは貼りつけるのが良いが、モールドタイプでは、ネジ止め等も可能である。
【００１７】
【発明の効果】
以上説明したように、本発明によれば、机上のワークスペースを確保したいときは、キーボード・ユニットをディスプレイ・ハウジングの正面の一部に（平面ディスプレイ・モニタの表示面角度が可変であっても）沿わせて止着収納し、机上のスペースを空けることができる平面ディスプレイ・モニタ、キーボード・ユニット、及びそれらを含む情報処理装置を、特別な外形変更を必要とせずに提供できる。
【図面の簡単な説明】
【図１】キーボード・ユニットを平面ディスプレイ・モニタに止着収納した一実施例を示す図である。
【図２】平面ディスプレイ・モニタに設けられた面ファスナと、平面ディスプレイ・モニタ背面の軸構造を示す図である。
【図３】キーボード・ユニットとキーボード・ユニットの底面に設けられた面ファスナを示す図である。
【図４】本発明の他の実施例を示す図である。
【符号の説明】
１　　平面ディスプレイ・モニタ
１１　　ディスプレイ・ハウジング
１１ａ　　ディスプレイ・ハウジングの正面
１２　　平面ディスプレイ
１３　　軸構造
１４　　スタンド
２　　キーボード・ユニット
２ｂ　　キーボード・ユニットの底面
３ａ、３ｂ　　面ファスナ
【図１】
2004145484.tif 000003
【図２】
2004145484.tif 000004
【図３】
2004145484.tif 000005
【図４】
2004145484.tif 000006